(57)【要約】      （修正有）【課題】第１筐体および第２筐体の折り畳み時に筐体の傷つきを回避することができる電子機器を提供する。【解決手段】第１姿勢の第２筐体１３が第２軸２３回りで特定位置に位置決めされると、第２筐体１３は第１軸２２回りの相対回転に基づき第１筐体１２に向き合わせられる。電子機器１１は折り畳まれる。受け入れ穴は、第１位置で第２筐体１３の表面から突出する突片部材２５の一端の進入を受け入れる。第２軸２３回りに第２筐体１３に外力が加わっても、第２軸２３回りに第２筐体１３の相対回転は規制される。折り畳みに先立って、第２筐体１３が特定位置から第２軸２３回りで第１筐体１２に対してずれることが想定される。このとき、第２筐体１３が第１軸２２回りで相対回転すると、突片部材２５の一端は本体筐体１２の表面に接触する。接触に基づき突片部材２５は第１位置から第２位置に向かって移動する。第１筐体１２の表面で傷つきは回避される。【選択図】図１３
2006253193.tif 000002
【特許請求の範囲】
【請求項１】
第１筐体と、第１軸回りの第１姿勢で第１筐体の表面に表面で向き合い、第１軸回りの第２姿勢で第１筐体の表面に裏面で向き合い、第１軸に直交する１平面内で規定される第２軸回りで第１筐体に対して相対回転する第２筐体と、第２筐体上で１直線に沿って案内され、第２筐体の表面から一端を突出させる第１位置、および、第２筐体の裏面から他端を突出させる第２位置の間で移動する突片部材と、第１筐体の表面に区画され、第１姿勢の第２筐体が第２軸回りで特定位置に位置決めされると突片部材の一端の進入を受け入れる受け入れ穴とを備えることを特徴とする電子機器。
【請求項２】
請求項１に記載の電子機器において、前記第１筐体に向かって前記第１姿勢の第２筐体を押し付ける押し付け力を発揮する回転機構を備えることを特徴とする電子機器。
【請求項３】
請求項１に記載の電子機器において、前記突片部材は、前記第２姿勢の第２筐体上で、第２筐体の表面から一端を突出させる第１位置、および、第２筐体の裏面から他端を突出させる第２位置の間で移動し、第２姿勢の第２筐体が第２軸回りで特定位置に位置決めされると突片部材の他端は前記受け入れ穴に受け入れられることを特徴とする電子機器。
【請求項４】
請求項１に記載の電子機器において、前記第２筐体に組み込まれて前記突片部材の移動を案内する案内部材と、案内部材に形成されて、前記突片部材に向き合わせられる突起と、前記突片部材に形成されて、前記第１位置の突片部材上で突起を受け入れる第１窪みと、前記突片部材に形成されて、前記第２位置の突片部材上で突起を受け入れる第２窪みと、第１および第２窪みの間に形成される第３窪みとをさらに備えることを特徴とする電子機器。
【請求項５】
請求項１に記載の電子機器において、前記突片部材には、前記一端および他端の間で突片部材の外形を仕切り、前記第１姿勢の第２筐体で前記第２軸に平行に設定される１対の第１輪郭線と、前記第１軸に平行に設定されて、前記一端を区画する第２輪郭線と、第１および第２輪郭線を結ぶ第３輪郭線とが規定されることを特徴とする電子機器。
【発明の詳細な説明】
【技術分野】
【０００１】
本発明は、例えばノートブックパーソナルコンピュータといった電子機器に関し、特に、第１筐体と、第１軸回りおよび第１軸に直交する１平面内で規定される第２軸回りで第１筐体に対して相対回転する第２筐体とを備える電子機器に関する。
【背景技術】
【０００２】
ノートブックパーソナルコンピュータ（以下、「ノートパソコン」）は、表面にキーボードを露出させる本体筐体と、表面に液晶ディスプレイパネルを露出させるディスプレイ用筐体とを備える。ディスプレイ用筐体は相対回転自在に本体筐体に連結される。ディスプレイ用筐体は、本体筐体の表面に平行な水平軸回りで折り畳まれる。
【０００３】
水平軸は、水平軸を含む水平面に直交する垂直軸回りで回転することができる。こうしてディスプレイ用筐体は垂直軸回りで回転する。その結果、ディスプレイ用筐体が折り畳まれると、ディスプレイ用筐体は表面で本体筐体の表面に受け止められることもできれば裏面で本体筐体の表面に受け止められることもできる。
【０００４】
ディスプレイ用筐体の表面にはフックが配置される。本体筐体の表面には受け入れ穴が区画される。前述の水平軸が垂直軸回りで基準位置に位置合わせされると、ディスプレイ用筐体が本体筐体の表面に重ね合わせられる際にフックは受け入れ穴に進入する。フックは受け入れ穴内で本体筐体にひっかかる。こうしてノートパソコンは折り畳まれた状態で保持される。
【特許文献１】特開２００１−３２５０４０号公報
【特許文献２】特開２００３−２４１８５４号公報
【発明の開示】
【発明が解決しようとする課題】
【０００５】
こうしたノートパソコンでは、折り畳みに先立って垂直軸回りで水平軸が基準位置から回転すると、フックは受け入れ穴の周囲で本体筐体の表面に衝突してしまう。本体筐体の表面は傷ついてしまう。
【０００６】
本発明は、上記実状に鑑みてなされたもので、筐体の傷つきを回避することができる電子機器を提供することを目的とする。
【課題を解決するための手段】
【０００７】
上記目的を達成するために、本発明によれば、第１筐体と、第１軸回りの第１姿勢で第１筐体の表面に表面で向き合い、第１軸回りの第２姿勢で第１筐体の表面に裏面で向き合い、第１軸に直交する１平面内で規定される第２軸回りで第１筐体に対して相対回転する第２筐体と、第２筐体上で１直線に沿って案内され、第２筐体の表面から一端を突出させる第１位置、および、第２筐体の裏面から他端を突出させる第２位置の間で移動する突片部材と、第１筐体の表面に区画され、第１姿勢の第２筐体が第２軸回りで特定位置に位置決めされると突片部材の一端の進入を受け入れる受け入れ穴とを備えることを特徴とする電子機器が提供される。
【０００８】
こういった電子機器では、第１姿勢の第２筐体が第２軸回りで特定位置に位置決めされると、第２筐体の表面は第１筐体の表面に向き合わせられることができる。こうして電子機器は折り畳まれる。このとき、受け入れ穴は、第１位置で第２筐体の表面から突出する突片部材の一端の進入を受け入れる。したがって、第２軸回りに第２筐体に外力が加わっても、第１筐体に対して第２軸回りに第２筐体の相対回転は規制される。第２筐体の第１姿勢は保持される。こうして突片部材および受け入れ穴は電子機器の固定構造として機能する。
【０００９】
その一方で、折り畳みに先立って、例えば第２筐体が特定位置から第２軸回りで第１筐体に対してずれることが想定される。このとき、第１姿勢の第２筐体が第１軸回りで本体筐体に対して相対回転すると、突片部材の一端は本体筐体の表面に接触する。接触に基づき突片部材は第１位置から第２位置に向かって移動することができる。第１筐体の表面で傷つきや破損は回避されることができる。
【００１０】
電子機器は、第１筐体に向かって第１姿勢の第２筐体を押し付ける押し付け力を発揮する回転機構を備えてもよい。こうして回転機構が、第１筐体の表面に向かって第１姿勢の第２筐体を押し付ける押し付け力を発揮する結果、第１筐体に対して第１軸回りに第２筐体の相対回転は規制される。
【００１１】
こういった電子機器では、突片部材は、第１姿勢の第２筐体上で、第２筐体の表面から一端を突出させる第１位置、および、第２筐体の裏面から他端を突出させる第２位置の間で移動し、第２姿勢の第２筐体が第２軸回りで特定位置に位置決めされると突片部材の他端は受け入れ穴に受け入れられればよい。
【００１２】
こうして第２姿勢の第２筐体が第２軸回りで特定位置に位置決めされると、第２筐体の裏面は第１筐体の表面に向き合わせられる。こうして電子機器は折り畳まれる。このとき、受け入れ穴は、第２筐体の裏面から突出する突片部材の他端の進入を受け入れる。したがって、第２軸回りに第２筐体に外力が加わっても、第２軸回りに第２筐体の相対回転は規制される。第２筐体の第２姿勢は保持される。
【００１３】
その一方で、折り畳みに先立って、例えば第２筐体が特定位置から第２軸回りで第１筐体に対してずれることが想定される。このとき、第２姿勢の第２筐体が第１軸回りで本体筐体に対して相対回転すると、突片部材の他端は本体筐体の表面に接触する。接触に基づき突片部材は第２位置から第１位置に向かって移動することができる。第１筐体の表面で傷つきや破損は回避されることができる。
【００１４】
電子機器は、第１筐体に向かって第２姿勢の第２筐体を押し付ける押し付け力を発揮する回転機構を備えてもよい。こうして回転機構が、第１筐体の表面に向かって第２姿勢の第２筐体を押し付ける押し付け力を発揮する結果、第１筐体に対して第１軸回りに第２筐体の相対回転は規制される。
【００１５】
こういった電子機器は、第２筐体に組み込まれて突片部材の移動を案内する案内部材と、案内部材に形成されて、突片部材に向き合わせられる突起と、突片部材に形成されて、第１位置の突片部材上で突起を受け入れる第１窪みと、突片部材に形成されて、第２位置の突片部材上で突起を受け入れる第２窪みと、第１および第２窪みの間に形成される第３窪みとをさらに備えればよい。
【００１６】
こうして突片部材には第１および第２窪みの間に第３窪みが形成される。突片部材の移動にあたって突起は第３窪みに受け入れられる。その結果、第１および第２窪みの間に比較的に大きな距離が設定されても、突起および突片部材では変形はできる限り回避されることができる。しかも、突起が第３窪みに受け入れられると、突片部材は第１位置および第２位置の間の位置で保持される。こうして突片部材は例えば第２筐体の表面および裏面から一端および他端を同時に突出させることができる。
【００１７】
以上のような電子機器では、突片部材には、一端および他端の間で突片部材の外形を仕切り、第１姿勢の第２筐体で第２軸に平行に設定される１対の第１輪郭線と、第１軸に平行に設定されて、一端を区画する第２輪郭線と、第１および第２輪郭線を結ぶ第３輪郭線とが規定されればよい。
【００１８】
こうした突片部材では、第１輪郭線は第１姿勢の第２筐体で第２軸に平行に設定される一方で、第２輪郭線は第１軸に平行に設定される。その結果、突片部材では、第３輪郭線に基づきいわゆる面取りが実現されることができる。前述されるように、例えば第２筐体が特定位置から第２軸回りで第１筐体に対してずれたとしても、突片部材は第３輪郭線で例えば受け入れ穴の開口を受け止めることができる。こうした面取りに基づき突片部材の一端や他端は受け入れ穴に比較的に簡単に誘導されることができる。
【発明の効果】
【００１９】
以上のように本発明によれば、第１筐体および第２筐体の折り畳み時に筐体の傷つきを回避することができる電子機器が提供されることができる。
【発明を実施するための最良の形態】
【００２０】
以下、添付図面を参照しつつ本発明の一実施形態を説明する。
【００２１】
図１は本発明の一実施形態に係る電子機器すなわちノートブックパーソナルコンピュータ１１（以下「ノートパソコン」）の外観を概略的に示す。このノートパソコン１１は、第１筐体すなわち本体筐体１２と、本体筐体１２に連結される第２筐体すなわちディスプレイ用筐体１３とを備える。本体筐体１２やディスプレイ用筐体１３は例えばポリカーボネートといった強化樹脂材料から構成されればよい。
【００２２】
本体筐体１２には例えばマザーボードが組み込まれる。マザーボード上には例えばＣＰＵ（中央演算処理装置）やメモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１２内に収容されるハードディスク駆動装置（ＨＤＤ）といった大容量記憶装置に格納されればよい。
【００２３】
本体筐体１２にはキーボード１４や入力ボタン１５といった入力装置が組み込まれる。こういった入力装置１４、１５の働きで、ノートパソコン１１の利用者はＣＰＵに向けて様々な指令やデータを入力することができる。
【００２４】
ディスプレイ用筐体１３には、例えば液晶ディスプレイ（ＬＣＤ）パネル１６といった平面ディスプレイパネルが収容される。ディスプレイ用筐体１３は表面にＬＣＤパネル１６の画面を露出させる。ＬＣＤパネル１６の画面にはＣＰＵの演算処理に基づき様々なテキストやグラフィックスが表示されることができる。
【００２５】
ＬＣＤパネル１６の表面にはタッチパネル１７といった入力装置が配置される。例えばスタイラスペンの操作に基づきタッチパネル１７からＣＰＵに向けて様々な指令やデータは入力されることができる。
【００２６】
本体筐体１２とディスプレイ用筐体１３とは二軸回り回転機構２１（以下、「回転機構」）で相互に連結される。この回転機構２１は、本体筐体１２およびディスプレイ用筐体１３の間で第１軸すなわち水平軸２２回りの回転および第２軸すなわち垂直軸２３回りの回転を実現する。ここでは、水平軸２２は、本体筐体１２の表面の一端でその表面に平行に規定されればよい。垂直軸２３は、水平軸２２に直交する１平面内で規定される。垂直軸２３は本体筐体１２の表面に直交する。
【００２７】
ディスプレイ用筐体１３には例えば平板状の突片部材２５が組み込まれる。突片部材２５の一端はディスプレイ用筐体１３の表面から突出する。突片部材２５は、水平軸２２を基準に所定の位置に配置される。その一方で、本体筐体１２の表面には受け入れ穴２６が区画される。受け入れ穴２６は、垂直軸２３を基準に所定の位置に配置される。ここで、突片部材２５および受け入れ穴２６はノートパソコン１１の固定構造として機能する。
【００２８】
いま、水平軸２２回りの相対回転に基づきディスプレイ用筐体１３の表面が本体筐体１２の表面に重ね合わせられる場面を想定する。図１に示されるように、ディスプレイ用筐体１３は垂直軸２３回りで特定位置に位置決めされる。この特定位置が確立されると、受け入れ穴２６と水平軸２２との間に水平軸２２および突片部材２５の位置関係を反映する位置関係が確立される。
【００２９】
この特定位置では、例えば図２に示されるように、ディスプレイ用筐体１３は水平軸２２回りで本体筐体１２に重ね合わせられることができる。ディスプレイ用筐体１３の第１姿勢は確立される。ディスプレイ用筐体１３の表面は本体筐体１２の表面に向き合わせられる。ここでは、垂直軸２３回りで特定位置が確立されることから、ディスプレイ用筐体１３の輪郭は本体筐体１２の輪郭に重なる。こうしてノートパソコン１１は折り畳まれる。
【００３０】
回転機構２１は、本体筐体１２の表面に向かってディスプレイ用筐体１３を押し付ける押し付け力を発揮する。その結果、本体筐体１２に対して水平軸２２回りにディスプレイ用筐体１３の相対回転は規制される。こういった回転機構２１の詳細は後述される。
【００３１】
このとき、受け入れ穴２６は、ディスプレイ用筐体１３の表面から突出する突片部材２５の一端の進入を受け入れる。したがって、垂直軸２３回りにディスプレイ用筐体１３に外力が加わっても、本体筐体１２に対して垂直軸２３回りにディスプレイ用筐体１３の相対回転は規制される。ディスプレイ用筐体１３の第１姿勢は保持される。
【００３２】
例えば図３に示されるように、ディスプレイ用筐体１３は例えば１８０度の相対回転角で垂直軸２３回りに本体筐体１２に対して相対回転することができる。こうしてディスプレイ用筐体１３は垂直軸２３回りで特定位置に位置決めされる。この特定位置が確立されると、前述と同様に、受け入れ穴２６と水平軸２３との間には水平軸２３および突片部材２５の位置関係を反映する位置関係が確立される。
【００３３】
この特定位置では、例えば図４に示されるように、ディスプレイ用筐体１３は水平軸２２回りで本体筐体１２に重ね合わせられることができる。ディスプレイ用筐体１３の第２姿勢は確立される。ディスプレイ用筐体１３の裏面は本体筐体１２の表面に向き合わせられる。こうしてノートパソコン１１は折り畳まれる。
【００３４】
回転機構２１は、前述と同様に、本体筐体１２の表面に向かってディスプレイ用筐体１３を押し付ける押し付け力を発揮する。その結果、本体筐体１２に対して水平軸２２回りにディスプレイ用筐体１３の相対回転は規制される。
【００３５】
このとき、受け入れ穴２６は、ディスプレイ用筐体１３の裏面から突出する突片部材２５の他端の進入を受け入れる。したがって、垂直軸２３回りにディスプレイ用筐体１３の相対回転は規制される。ディスプレイ用筐体１３の第２姿勢は保持される。
【００３６】
図５に示されるように、突片部材２５は案内部材２７に支持される。案内部材２７は１直線に沿って突片部材２５の移動を案内する。突片部材２５の移動方向は、ディスプレイ用筐体１３で第１姿勢や第２姿勢が確立された際に本体筐体１２の表面に直交すればよい。案内部材２７はディスプレイ用筐体１３に固定される。固定にあたって例えばねじ２８が用いられる。ねじ２８は、ディスプレイ用筐体１３の内壁面から立ち上がるボスに受け入れられればよい。
【００３７】
回転機構２１は、軸受け３１と、垂直軸２３回りで軸受け３１に回転自在に支持される支軸３２とを備える。軸受け３１は例えば本体筐体１２の内壁面に固定される。軸受け３１の固定にあたって例えばねじ３３が用いられる。ねじ３３は、本体筐体１２の内壁面から直立するボスに受け入れられればよい。支軸３２の軸心は垂直軸２３に一致する。支軸３２には例えば化粧カバー３４が覆い被さる。
【００３８】
支軸３２には、相互に反対向きに延びる１対の軸部材３５、３５が一体化される。軸部材３５、３５の軸心は水平軸２２に一致する。軸部材３５の先端には連結片３６が軸部材３５の軸心回りで回転自在に連結される。連結片３６はディスプレイ用筐体１３の内壁面に固定される。固定にあたって例えばねじ３７が用いられる。ねじ３７は、ディスプレイ用筐体１３の内壁面から直立するボスに受け入れられればよい。ここでは、支軸３２および軸部材３５はステンレス鋼といった金属材料から一体成型されればよい。
【００３９】
こうした回転機構２１に基づき本体筐体１２およびディスプレイ用筐体１３は連結される。その結果、連結片３６が軸部材３５に対して相対回転すると、本体筐体１２に対してディスプレイ用筐体１３の水平軸２２回りの相対回転は実現されることができる。その一方で、支軸３２の軸心回りで連結片３６が軸受け３１に対して相対回転すると、本体筐体１２に対してディスプレイ用筐体１３の垂直軸２３回りの相対回転は実現されることができる。
【００４０】
図６に示されるように、連結片３６は環状部３８で軸部材３５の軸３５ａに連結される。環状部３８は、軸部材３５の軸心回りで回転することができる。環状部３８の外側には軸３５ａに支持される環状部材３９が配置される。環状部材３９の外側には同様に軸３５ａに支持される弾性部材すなわちばね４１が配置される。
【００４１】
ばね４１の外側には軸３５ａに固定される留め具４２が配置される。留め具４２に基づき環状部３８、環状部材３９およびばね４１は軸３５ａに保持される。環状部材３９およびばね４１では軸部材３５の軸心回りの回転は規制される。その一方で、環状部材３９はばね４１の伸縮に基づき軸部材３５の軸心方向に移動することができる。
【００４２】
環状部３８の外端面には環状部材３９の内端面が向き合わせられる。環状部３８の外端面にはカム面３８ａが形成される。その一方で、環状部材３９の内端面には突部３８ａが形成される。環状部材３９の内端面の形状は環状部３８の外端面の形状に一致する。環状部材３９の回転は規制されることから、環状部３８は環状部材３９に対して相対回転することができる。こうして突部３８ａおよびカム面３９ａはカム機構を構成する。
【００４３】
連結片３６すなわち環状部３８が回転すると、図７に示されるように、環状部３８および環状部材３９は相対回転する。ばね４１の働きで突部３８ａは環状部３８に押し付けられる。環状部３８がさらに回転すると、図８に示されるように、突部３８ａはカム面３９ａに押し付けられる。こうして突部３８ａの押し付け力は環状部３８の回転の駆動力に変換される。その結果、ディスプレイ用筐体１３には本体筐体１２に向かって前述の押し付け力が付与される。
【００４４】
図９は案内部材２７の構造を概略的に示す。案内部材２７は、突片部材２５を支持する受け入れ部材２７ａと、受け入れ部材２７ａから相互に反対向きに延びる１対の平板部材２７ｂ、２７ｂとを備える。受け入れ部材２７ａは直方体の内部空間を区画する。受け入れ部材２７ａおよび平板部材２７ｂは例えば一体成型に基づき形成されればよい。平板部材２７ｂには、前述のねじ２８を受け入れる貫通孔４５が形成される。突片部材２５や案内部材２７は例えば合成樹脂材料から構成されればよい。
【００４５】
突片部材２５の裏面には案内突起４６が形成される。案内突起４６は、受け入れ部材２７ａの内壁面に形成される案内溝４７に受け入れられる。案内溝４７は、突片部材２５の移動方向すなわち前述の１直線に沿って受け入れ部材２７ａの全長にわたって形成される。こうして案内部材２７は、案内突起４６および案内溝４７に基づき１直線に沿って突片部材２５の移動を案内することができる。
【００４６】
図１０を併せて参照し、突片部材２５には、一端および他端の間で突片部材２５の外形を仕切る１対の第１輪郭線５１、５１が規定される。第１輪郭線５１は、第１姿勢のディスプレイ用筐体１３で垂直軸２３に平行に規定される。突片部材２５には、水平軸２２に平行に設定される１対の第２輪郭線５２、５２が規定される。第２輪郭線５２は突片部材２５の一端および他端を区画する。
【００４７】
第１および第２輪郭線５１、５２は第３輪郭線５３で結ばれる。こうして突片部材２５にはいわゆる面取りが実現される。ここでは、第１および第２輪郭線５１、５２は例えば直線で規定されればよい。同様に、第３輪郭線５３は例えば直線で規定されればよい。その他、第３輪郭線５３は例えば湾曲線で規定されてもよい。
【００４８】
突片部材２５の側面には一端および他端の間で１対の突部５４、５４が形成される。その一方で、受け入れ部材２７ａの一端には突片部材２５に向かって突き出る突壁５５が形成される。突片部材２５が第１位置に位置決めされると、突部５４は突壁５５に受け止められる。こうして受け入れ部材２７ａから突片部材２５の抜け落ちは回避されることができる。
【００４９】
その一方で、受け入れ部材２７ａの他端はディスプレイ用筐体１３の内壁面に受け止められる。突片部材２５が第２位置に位置決めされると、突部５４はディスプレイ用筐体１３の内壁面に受け止められる。こうして受け入れ部材２７ａから突片部材１４の抜け落ちは回避されることができる。
【００５０】
図１１に示されるように、突片部材２５の表面および裏面には、第１窪み６１および第２窪み６２が形成される。この第１および第２窪み６１、６２の間には第３窪み６３が形成される。第１および第２窪み６１、６２並びに第３窪み６３は１直線上に配置される。第１〜第３窪み６１、６２、６３は半球状に窪む。
【００５１】
突片部材２５の表面および裏面には、第１窪み６１および第３窪み６３の間、第２窪み６２および第３窪み６３の間を接続する接続溝６４、６４がさらに形成される。突片部材２５の表面からの深さは、接続溝６４よりも第１〜第３窪み６１、６２、６３で大きく設定されればよい。
【００５２】
図１２に示されるように、受け入れ部材２７ａの内壁面には突片部材２５の表面および裏面に向き合わせられる１対の突起６５が形成される。突起６５は例えば半球状に盛り上がる。第１窪み６１は第１位置の突片部材２５上で突起６５を受け入れる。第２窪み６２は第２位置の突片部材２５上で突起６５を受け入れる。こうして第１〜第３窪み６１、６２、６３並びに接続溝６４で突起６５の移動経路は規定される。
【００５３】
突片部材２５が第１位置に配置されると、突起６５は第１窪み６１に受け入れられる。突片部材２５が第１位置から第２位置に向かって移動すると、突起６５は、第１窪み６１、第３窪み６３および第２窪み６２に順番に受け入れられる。このとき、突起６５は第３窪み６３に受け入れられる。その結果、第１および第２窪み６１、６２の間に比較的に大きな距離が設定されても、突起６５および突片部材２５では変形はできる限り回避されることができる。
【００５４】
しかも、突起６５が第３窪み５４に受け入れられると、突片部材２５は第１位置および第２位置の間の位置で保持される。こうして突片部材２５は例えばディスプレイ用筐体１３の表面および裏面から一端および他端を同時に突出させることができる。すなわち、突片部材２５では、一端から他端までの長さは、ディスプレイ用筐体１３の表面および裏面から一端および他端を同時に突出させることができる長さに設定されればよい。
【００５５】
突片部材２５は例えば成型に基づき形成される。突片部材２５の裏面には例えばノックピンの痕跡が残存する。突片部材２５が案内部材２７に組み込まれる際、案内突起４６および案内溝４７の位置合わせに基づき突片部材２５は案内部材２７に組み込まれる。その結果、突片部材２５は案内部材２７に所定の向きでのみ受け入れられることができる。突片部材２５の裏面が利用者の目から反対側に向けられれば、ノックピンの痕跡は隠される。突片部材２５の見映えの低下は避けられる。
【００５６】
以上のようなノートパソコン１１では、折り畳みに先立って、例えばディスプレイ用筐体１３が特定位置から垂直軸２３回りで本体筐体１２に対してずれることが想定される。このとき、ディスプレイ用筐体１３が水平軸２２回りで本体筐体１２に対して相対回転すると、突片部材２５の一端は本体筐体１２の表面に接触する。このとき、例えば図１３に示されるように、接触に基づき突片部材２５は第１位置から第２位置に向かって移動することができる。本体筐体１２の表面で傷つきや破損は回避されることができる。例えば突片部材２５の他端が本体筐体１２の表面に接触する場合にも同様に、接触に基づき突片部材２５は第２位置から第１位置に向かって移動することができる。本体筐体１２の表面で傷つきや破損は回避されることができる。
【００５７】
しかも、突片部材２５にはいわゆる面取りが施される。したがって、ディスプレイ用筐体１３が特定位置から垂直軸２３回りで本体筐体１２に対してずれたとしても、例えば図１４に示されるように、突片部材２５は第３輪郭線５３で受け入れ穴２６の開口を受け止めることができる。こうした面取りに基づき突片部材２５の一端や他端は受け入れ穴２６に比較的に簡単に誘導されることができる。
【００５８】
また、ディスプレイ用筐体１３が表面や裏面を変えて頻繁に折り畳まれる場合、突片部材２５は、ディスプレイ用筐体１３の表面および裏面から一端および他端を同時に突出した状態で保持されればよい。このとき、前述されるように、突起６５は第３窪み５４に受け入れられればよい。こうして、ノートパソコン１１が折り畳まれる際、突片部材２５の位置の調整といった作業は必要とされない。
【００５９】
その他、本発明の電子機器には、ノートパソコン１１の他に、例えば携帯電話端末装置や携帯情報端末（ＰＤＡ）といったその他の電子機器が含まれることができる。
【００６０】
（付記１）  第１筐体と、第１軸回りの第１姿勢で第１筐体の表面に表面で向き合い、第１軸回りの第２姿勢で第１筐体の表面に裏面で向き合い、第１軸に直交する１平面内で規定される第２軸回りで第１筐体に対して相対回転する第２筐体と、第２筐体上で１直線に沿って案内され、第２筐体の表面から一端を突出させる第１位置、および、第２筐体の裏面から他端を突出させる第２位置の間で移動する突片部材と、第１筐体の表面に区画され、第１姿勢の第２筐体が第２軸回りで特定位置に位置決めされると突片部材の一端の進入を受け入れる受け入れ穴とを備えることを特徴とする電子機器。
【００６１】
（付記２）  付記１に記載の電子機器において、前記第１筐体に向かって前記第１姿勢の第２筐体を押し付ける押し付け力を発揮する回転機構を備えることを特徴とする電子機器。
【００６２】
（付記３）  付記１に記載の電子機器において、前記突片部材は、前記第２姿勢の第２筐体上で、第２筐体の表面から一端を突出させる第１位置、および、第２筐体の裏面から他端を突出させる第２位置の間で移動し、第２姿勢の第２筐体が第２軸回りで特定位置に位置決めされると突片部材の他端は前記受け入れ穴に受け入れられることを特徴とする電子機器。
【００６３】
（付記４）  付記３に記載の電子機器において、前記第１筐体に向かって前記第２姿勢の第２筐体を押し付ける押し付け力を発揮する回転機構を備えることを特徴とする電子機器。
【００６４】
（付記５）  付記１に記載の電子機器において、前記第２筐体に組み込まれて前記突片部材の移動を案内する案内部材と、案内部材に形成されて、前記突片部材に向き合わせられる突起と、前記突片部材に形成されて、前記第１位置の突片部材上で突起を受け入れる第１窪みと、前記突片部材に形成されて、前記第２位置の突片部材上で突起を受け入れる第２窪みと、第１および第２窪みの間に形成される第３窪みとをさらに備えることを特徴とする電子機器。
【００６５】
（付記６）  付記１に記載の電子機器において、前記突片部材には、前記一端および他端の間で突片部材の外形を仕切り、前記第１姿勢の第２筐体で前記第２軸に平行に設定される１対の第１輪郭線と、前記第１軸に平行に設定されて、前記一端を区画する第２輪郭線と、第１および第２輪郭線を結ぶ第３輪郭線とが規定されることを特徴とする電子機器。
【００６６】
（付記７）  付記１に記載の電子機器において、前記突片部材は、前記第１位置および前記第２位置の間の中間に位置したときに前記第２筐体の表面および裏面から前記一端および前記他端を同時に突出させることを特徴とする電子機器。
【００６７】
（付記８）  付記１に記載の電子機器において、前記第１筐体は、前記第２筐体に向き合う面にキーボードを備え、前記第２筐体は、ディスプレイを収容し、表面にディスプレイの画面を露出させることを特徴とする電子機器。
【００６８】
（付記９）  第１筐体と、第１軸回りの第１姿勢で第１筐体の表面に表面で向き合い、第１軸回りの第２姿勢で第１筐体の表面に裏面で向き合い、第１軸に直交する１平面内で規定される第２軸回りで第１筐体に対して相対回転する第２筐体とで構成される電子機器の固定構造において、第２筐体上で１直線に沿って案内され、第２筐体の表面から一端を突出させる第１位置、および、第２筐体の裏面から他端を突出させる第２位置の間で移動する突片部材と、第１筐体の表面に区画され、第１姿勢の第２筐体が第２軸回りで特定位置に位置決めされると突片部材の一端の進入を受け入れる受け入れ穴とを備えることを特徴とする電子機器の固定構造。
【図面の簡単な説明】
【００６９】
【図１】本発明の一実施形態に係る電子機器すなわちノートパソコンの構造を概略的に示す斜視図である。
【図２】ディスプレイ用筐体の表面が本体筐体の表面に重ね合わせられた状態を示すノートパソコンの斜視図である。
【図３】ディスプレイ筐体が垂直軸回りで回転した状態を示すノートパソコンの斜視図である。
【図４】ディスプレイ用筐体の裏面が本体筐体の表面に重ね合わせられた状態を示すノートパソコンの斜視図である。
【図５】案内部材および回転機構の構造を概略的に示すノートパソコンの部分拡大斜視図である。
【図６】回転機構の構造を概略的に示す部分拡大側面図である。
【図７】回転機構の動作を概略的に示す部分拡大側面図である。
【図８】回転機構の動作を概略的に示す部分拡大側面図である。
【図９】突片部材および案内部材の構造を概略的に示す斜視図である。
【図１０】図９の１０−１０線に沿った断面図である。
【図１１】突片部材の構造を概略的に示す斜視図である。
【図１２】図９の１２−１２線に沿った断面図である。
【図１３】垂直軸回りで回転した後にディスプレイ用筐体の表面が本体筐体の表面に重ね合わせられた状態を示すノートパソコンの斜視図である。
【図１４】突片部材が受け入れ穴に受け入れられる様子を概略的に示す図である。
【符号の説明】
【００７０】
１１  電子機器（ノートブックパーソナルコンピュータ）、１２  第１筐体、１３  第２筐体、２１  回転機構、２２  第１軸（水平軸）、２３  第２軸（垂直軸）、２５  突片部材、２６  受け入れ穴、２７  案内部材、５１  第１輪郭線、５２  第２輪郭線、５３  第３輪郭線、６１  第１窪み、６２  第２窪み、６３  第３窪み、６５  突起。
【図１】
2006253193.tif 000003
【図２】
2006253193.tif 000004
【図３】
2006253193.tif 000005
【図４】
2006253193.tif 000006
【図５】
2006253193.tif 000007
【図６】
2006253193.tif 000008
【図７】
2006253193.tif 000009
【図８】
2006253193.tif 000010
【図９】
2006253193.tif 000011
【図１０】
2006253193.tif 000012
【図１１】
2006253193.tif 000013
【図１２】
2006253193.tif 000014
【図１３】
2006253193.tif 000015
【図１４】
2006253193.tif 000016